(57)【要約】【課題】異なる住戸の住人がそれぞれの住戸側から宅配物を取り出すことができる宅配ボックス装置および集合住宅の玄関構造を提供する。【解決手段】第１宅配ボックス１１と第２宅配ボックス１２とが上下に隣接し、上記第１宅配ボックス１１の開閉蓋１１ａと上記第２宅配ボックス１２の開閉蓋１２ａは互いに反対側に存在している。同様に、上記第１宅配ボックス１１の使用者に割り当てられる第１郵便ボックス１３と上記第２宅配ボックス１２の使用者に割り当てられる第２郵便ボックス１４が上下に隣り合わせに配置され、上記第１郵便ボックス１３の開閉蓋１３ａと上記第２郵便ボックス１４の開閉蓋１４ａは互いに反対側に存在している。【選択図】図１
2014046137.tif 000002
【特許請求の範囲】
【請求項１】
少なくとも第１宅配ボックスと第２宅配ボックスとが上下または左右に配置されており、上記第１宅配ボックスの開閉蓋と上記第２宅配ボックスの開閉蓋は互いに反対側に位置していることを特徴とする宅配ボックス装置。
【請求項２】
請求項１に記載の宅配ボックス装置において、一方の宅配ボックスの開閉蓋の上下位置または左右位置に他方の宅配ボックスの背面部が位置していることを特徴とする宅配ボックス装置。
【請求項３】
請求項１または請求項２に記載の宅配ボックス装置において、上記第１宅配ボックスの使用者に割り当てられる第１郵便ボックスと上記第２宅配ボックスの使用者に割り当てられる第２郵便ボックスとが上下または左右に配置されており、上記第１郵便ボックスの開閉蓋と上記第２郵便ボックスの開閉蓋は互いに反対側に位置していることを特徴とする宅配ボックス装置。
【請求項４】
請求項３に記載の宅配ボックス装置において、一方の郵便ボックスの開閉蓋の上下位置または左右位置に他方の郵便ボックスの背面部が位置していることを特徴とする宅配ボックス装置。
【請求項５】
請求項３または請求項４に記載の宅配ボックス装置において、上記宅配ボックスの奥行き寸法と上記郵便ボックスの奥行き寸法とが同じであることを特徴とする宅配ボックス装置。
【請求項６】
請求項１〜請求項５のいずれか１項に記載の宅配ボックス装置が、集合住宅における隣接住戸の玄関扉の外側で当該玄関扉を隔てるように設けられていることを特徴とする集合住宅の玄関構造。
【請求項７】
請求項６に記載の集合住宅の玄関構造において、上記隣接住戸の玄関扉を隔てる隔壁部を備えており、この隔壁部に上記宅配ボックス装置が連結されていることを特徴とする集合住宅の玄関構造。
【請求項８】
請求項７に記載の玄関構造において、上記隔壁部が連結される柱が設けられていることを特徴とする集合住宅の玄関構造。
【発明の詳細な説明】
【技術分野】
【０００１】
この発明は、住人の不在時に宅配物を保管しておくための宅配ボックスを複数備えた宅配ボックス装置および集合住宅の玄関構造に関する。
【背景技術】
【０００２】
特許文献１には、共同住宅において配達物を受け取るための配達物受け取り装置が開示されている。この配達物受け取り装置は、共同住宅の玄関ロビーなどの壁の一部を構成し、前面側を玄関ロビーなどに面するようにし、背面側を共同住宅の住人のみが専用で使用する空間に面するように配置することにより、配達人が配達物を入れる前面側と住人が配達物を取り出す背面側との空間を分離するようにしたものである。
【０００３】
また、特許文献２には、宅配物が収納される宅配ボックスを建物の内側に形成し、上記宅配ボックスに連通する収納口を建物の外壁に形成すると共に、上記収納口にロックを備えた外扉を設けることにより、宅配ボックスを建物に組み込む構造が開示されている。
【先行技術文献】
【特許文献】
【０００４】
【特許文献１】特開２００９−２７３９３１号公報
【０００５】
【特許文献２】特開平１１−１３７４０７号公報
【発明の概要】
【発明が解決しようとする課題】
【０００６】
しかしながら、上記特許文献１および上記特許文献２に開示された装置は、配達人が配達物を入れる前面側と、住人が配達物を取り出す背面側とを分離したものであり、異なる住戸の住人がそれぞれの住戸側から宅配物を取り出せるようにしたものではない。また、どちらの装置も宅配ボックスが建物の間取りなどに影響を与える構造になっている。
【０００７】
この発明は、上記の事情に鑑み、異なる住戸の住人がそれぞれの住戸側から宅配物を取り出すことができ、しかも建物の間取りなどに影響を与えない宅配ボックス装置および集合住宅の玄関構造を提供することを課題とする。
【課題を解決するための手段】
【０００８】
この発明の宅配ボックス装置は、上記の課題を解決するために、少なくとも第１宅配ボックスと第２宅配ボックスとが上下または左右に配置されており、上記第１宅配ボックスの開閉蓋と上記第２宅配ボックスの開閉蓋は互いに反対側に位置していることを特徴とする。
【０００９】
上記の構成であれば、第１宅配ボックスと第２宅配ボックスとが上下または左右に配置されており、上記第１宅配ボックスの開閉蓋と上記第２宅配ボックスの開閉蓋は互いに反対側に位置するので、異なる住戸の住人がそれぞれの住戸側から宅配物を取り出すことが可能となる。
【００１０】
一方の宅配ボックスの開閉蓋の上下位置または左右位置に他方の宅配ボックスの背面部が位置していてもよい。これによれば、一方の宅配ボックスの開閉蓋と他方の背面部との段差が少なくなり、見栄えが良くなる。
【００１１】
上記第１宅配ボックスの使用者に割り当てられる第１郵便ボックスと上記第２宅配ボックスの使用者に割り当てられる第２郵便ボックスとが上下または左右に配置されており、上記第１郵便ボックスの開閉蓋と上記第２郵便ボックスの開閉蓋は互いに反対側に位置していてもよい。これによれば、異なる住戸の住人がそれぞれの住戸側から郵便物を取り出すことができる。
【００１２】
一方の郵便ボックスの開閉蓋の上下位置または左右位置に他方の郵便ボックスの背面部が位置していてもよい。これによれば、一方の郵便ボックスの開閉蓋と他方の背面部との段差が少なくなり、見栄えが良くなる。
【００１３】
上記宅配ボックスの奥行き寸法と上記郵便ボックスの奥行き寸法とを同じにした場合には、宅配ボックス装置全体における外表面のフラット感が得られる。
【００１４】
また、この発明の集合住宅の玄関構造は、上記いずれかの宅配ボックス装置が、集合住宅における隣接住戸の玄関扉の外側で当該玄関扉を隔てるように設けられていることを特徴とする。かかる構成であれば、上記宅配ボックス装置は建物の間取りなどに影響を与えず、玄関扉の外側で両玄関扉を隔てる隔壁として利用できるとともに、異なる住戸の住人がそれぞれの住戸側から宅配物や郵便物を取り出すことができる。
【００１５】
上記隣接住戸の玄関扉を隔てる隔壁部を備えており、この隔壁部に上記宅配ボックス装置が連結されていてもよい。また、上記隔壁部が連結される柱が設けられていてもよい。
【発明の効果】
【００１６】
本発明の宅配ボックス装置であれば、異なる住戸の住人がそれぞれの住戸側から宅配物を取り出すことができる。そして、本発明の集合住宅の玄関構造建物であれば、上記宅配ボックス装置は建物の間取りなどに影響を与えず、異なる住戸の玄関扉の外側で両玄関扉を隔てる隔壁として利用できるという効果を奏する。
【図面の簡単な説明】
【００１７】
【図１】この発明の実施形態の集合住宅の玄関構造を示した正面図である。
【図２】図１に示した集合住宅の玄関構造の斜視図である。
【図３】図１に示した集合住宅の玄関構造の側面図である。
【図４】図３のＡ−Ａ断面図である。
【図５】同図（Ａ）は図３のＢ−Ｂ断面図であり、同図（Ｂ）は図３のＣ−Ｃ断面図である。
【図６】この発明の他の実施形態の集合住宅の玄関構造を示した説明図である。
【図７】この発明の他の実施形態の集合住宅の玄関構造を示した説明図である。
【発明を実施するための形態】
【００１８】
次に、この発明の実施形態に係る宅配ボックス装置および集合住宅の玄関構造を添付図面に基づいて具体的に説明する。なお、本発明に係る宅配ボックス装置および集合住宅の玄関構造は、下記の実施形態に示したものに限定されず、その要旨を変更しない範囲において適宜変更して実施できるものである。
【００１９】
図１および図２に示すように、この実施形態における重層長屋住宅の玄関構造１００は、宅配ボックス装置１が重層長屋住宅における隣接住戸の玄関扉２、２の外側で当該玄関扉２、２を隔てるように設けられている。上記玄関扉２、２は玄関外壁３の面内で横に並んで同じ方向に向いて設けられている。一方の玄関扉２を開けると、１階住戸の玄関に入ることができ、他方の玄関扉２を開けると、２階住戸の専用室内階段が現れる。
【００２０】
上記宅配ボックス装置１における第１宅配ボックス１１と第２宅配ボックス１２とは上下に隣接して配置されており、上記第１宅配ボックス１１の開閉蓋１１ａと上記第２宅配ボックス１２の開閉蓋１２ａは互いに反対側に存在する。上記第１宅配ボックス１１の開閉蓋１１ａの上位置に上記第２宅配ボックス１２の背面部１２ｂが位置している。同様に、上記第２宅配ボックス１２の開閉蓋１２ａの下位置に上記第１宅配ボックス１１の背面部１１ｂが位置している。上記第１、第２宅配ボックス１１、１２の開閉蓋１１ａ、１２ａには、その開閉を制限するためのロック装置が設けられている。
【００２１】
また、上記第２宅配ボックス１２上に上記第１宅配ボックス１１の住人に割り当てられる第１郵便ボックス１３が配置され、上記第１郵便ボックス１３上に上記第２宅配ボックス１２の住人に割り当てられる第２郵便ボックス１４が配置されている。上記第１郵便ボックス１３の開閉蓋１３ａと上記第２郵便ボックス１４の開閉蓋１４ａは互いに反対側に存在する。上記第１郵便ボックス１３の開閉蓋１３ａの上位置に上記第２郵便ボックス１４の背面部１４ｂが位置している。同様に、上記第２郵便ボックス１４の開閉蓋１４ａの下位置に上記第１郵便ボックス１３の背面部１３ｂが位置している。上記第１、第２郵便ボックス１３、１４の開閉蓋１３ａ、１４ａには、その開閉を制限するためのロック装置および投入開口が設けられている。
【００２２】
上記宅配ボックス１１、１２の奥行き寸法と上記郵便ボックス１３、１４の奥行き寸法とを同じとし、この奥行き寸法は例えば２６０ｍｍ程度である。また、上記開閉蓋１１ａ、１２ａ、１３ａ、１４ａの厚さは１７ｍｍ程度とされ、上記背面部１１ｂ、１２ｂ、１３ｂ、１４ｂには１７ｍｍ程度の厚さの板状部が配置されている。また、上記宅配ボックス１１、１２および上記郵便ボックス１３、１４は例えばステンレス材料により形成されている。
【００２３】
上記宅配ボックス装置１の下面側には、台部１５が設けられる。この台部１５には例えば４本のボルト脚部１６が設けられており、当該台部１５の上面の所定の高さおよび水平度を得るために上記ボルト脚部１６の下端接地面の位置調節ができるようになっている。上記宅配ボックス１１、１２に入れられた荷物の荷重は上記台部１５に加わり、この台部１５に加わった荷重は上記ボルト脚部１６の下端接地面を介して地面に加わる。
【００２４】
図３にも示すように、上記宅配ボックス装置１の一方の側面側および上面側には隔壁板（隔壁部）４が位置している。上記隔壁板４は、パンチングメタル４１と縦枠部４２と横枠部４３と縦桟部４４と横桟部４５とを有してなる。上記宅配ボックス装置１は上記縦桟部４４と上記横桟部４５とに囲われるように位置している。上記隔壁板４は例えばアルミ合金素材から成り、ステンレス製の上記宅配ボックス装置１とのデザイン上の統一感を持たせている。
【００２５】
図４にも示すように、上記隔壁板４の両面には各住戸用の傘掛け４６や飾り棚４７が設けられる。これら傘掛け４６や飾り棚４７は、例えば、上記パンチングメタル４１の貫通穴を利用して装着される螺子や係止具によって固定される。
【００２６】
また、図５（Ａ）および図５（Ｂ）に示すように、上記隔壁板４における一方の側の上記縦枠部４２は、上記玄関外壁３から突出する止め板部３ａにボルト６によって固定されている。また、上記隔壁板４における他方の側の上記縦枠部４２は柱５から突出する止め板部５ａにボルト６によって固定されている。さらに、上記パンチングメタル４１は上記縦枠部４２および上記縦桟部４４にビス７によって固定されている。
【００２７】
また、上記隔壁板４への上記宅配ボックス装置１の組み付けでは、上記台部１５の上面高さおよび水平度を上記ボルト脚部１６により調節する。そして、上記台部１５の上面に上記第１宅配ボックス１１をセットし、両者の上面と下面を樹脂製リベットで固定する。同様に、上記第１宅配ボックス１１の上に第２宅配ボックス１２を置き、両者の上面と下面を樹脂製リベットで固定する。さらに、上記第２宅配ボックス１２の上に上記第１郵便ボックス１３を置いて上記リベットで固定し、この第１郵便ボックス１３の上に第２郵便ボックス１４を置いて上記リベットで固定する。上記第２郵便ボックス１４の上面板に形成されているリベット用穴については、穴塞ぎシール部材を用いて塞ぐことができる。
【００２８】
上記宅配ボックス１１、１２および上記郵便ボックス１３、１４の側板の奥行き方向中央位置には貫通穴が形成されており、この貫通穴を通してタップ螺子を上記縦枠部４２および縦桟部４４にねじ込むことで、上記宅配ボックス装置１を上記隔壁板４に固定することができる。
【００２９】
上記の構成であれば、第１宅配ボックス１１と第２宅配ボックス１２とが上下に配置されており、上記第１宅配ボックス１１の開閉蓋１１ａと上記第２宅配ボックス１２の開閉蓋１２ａは互いに反対側に位置するので、異なる住戸の住人がそれぞれの住戸側から宅配物を取り出すことができる。
【００３０】
上記第１宅配ボックス１１の開閉蓋１１ａの上位置に上記第２宅配ボックス１２の背面部１２ｂが位置し、上記第２宅配ボックス１２の開閉蓋１２ａの下位置に上記第１宅配ボックス１１の背面部１１ｂが位置しているので、上記第１宅配ボックス１１の開閉蓋１１ａと上記第２宅配ボックス１２の背面部１２ｂとの段差が少なくなり、また、上記第２宅配ボックス１２の開閉蓋１２ａと上記第１宅配ボックス１１の背面部１１ｂとの段差が少なくなるので、見栄えが良くなる。
【００３１】
上記第１宅配ボックス１１の使用者に割り当てられる第１郵便ボックス１３と上記第２宅配ボックス１２の使用者に割り当てられる第２郵便ボックス１４とが上下に配置されており、上記第１郵便ボックス１１の開閉蓋１１ａと上記第２郵便ボックス１２の開閉蓋１２ａは互いに反対側に位置していているので、異なる住戸の住人がそれぞれの住戸側から郵便物を取り出すことができる。
【００３２】
上記第１郵便ボックス１３の開閉蓋１３ａの上位置に上記第２郵便ボックス１４の背面部１４ｂが位置し、上記第２郵便ボックス１４の開閉蓋１４ａの下位置に上記第１郵便ボックス１３の背面部１３ｂが位置しているので、上記第１郵便ボックス１３の開閉蓋１３ａと上記第２郵便ボックス１４の背面部１４ｂとの段差が少なくなり、また、上記第２郵便ボックス１４の開閉蓋１４ａと上記第１郵便ボックス１３の背面部１３ｂとの段差が少なくなるので、見栄えが良くなる。
【００３３】
また、上記宅配ボックス１１、１２の奥行き寸法と上記郵便ボックス１３、１４の奥行き寸法とが同じであると、上記宅配ボックス装置１全体における外表面のフラット感が得られる。
【００３４】
また、この発明の集合住宅の玄関構造１００は、上記宅配ボックス装置１が、集合住宅における隣接住戸の玄関扉２、２の外側で当該玄関扉２、２を隔てるように設けられた構造を有するので、上記宅配ボックス装置１は、建物の間取りなどに影響を与えず、玄関扉２、２の外側で両玄関扉２、２を隔てる隔壁として利用できるとともに、異なる住戸の住人がそれぞれの住戸側から宅配物や郵便物を取り出すことができる。
【００３５】
上記の例では、上記第１宅配ボックス１１と上記第２宅配ボックス１２とが上下に隣接するものであったが、図６に示すように、上記第１宅配ボックス１１と上記第２宅配ボックス１２とが左右に位置する形態を採用することができる。この構成において、一方の宅配ボックスの開閉蓋の左右位置に他方の宅配ボックスの背面部が位置してもよい。同様に、上記第１郵便ボックス１３と第２郵便ボックス１４とが左右に位置する形態を採用することができ、また、一方の郵便ボックスの開閉蓋の左右位置に他方の郵便ボックスの背面部が位置してもよい。さらに、上記宅配ボックス１１、１２の奥行き寸法と上記郵便ボックス１３、１４の奥行き寸法とを同じにしてもよい。なお、重量物が投入されない上記郵便ボックス１３、１４については、上記宅配ボックス１１、１２から離間させて住人が操作し易い高さの位置に設けるようにしてもよい。
【００３６】
また、図７に示すように、上記第１宅配ボックス１１と上記第２宅配ボックス１２とを直に隣接させずに、上記第１宅配ボックス１１と上記第２宅配ボックス１２との間に例えば郵便ボックスを介在させる構造を採用することもできる。
【００３７】
また、隔壁部として厚みの薄い隔壁板４を示したが、これに限らず、厚みのある仕切壁を採用してもよいものである。
【符号の説明】
【００３８】
１      宅配ボックス装置
１１    第１宅配ボックス
１１ａ  開閉蓋
１１ｂ  背面部
１２    第２宅配ボックス
１２ａ  開閉蓋
１２ｂ  背面部
１３    第１郵便ボックス
１３ａ  開閉蓋
１３ｂ  背面部
１４    第２郵便ボックス
１２ａ  開閉蓋
１２ｂ  背面部
２      玄関扉
３      玄関外壁
４      隔壁板（隔壁部）
５      柱
１００  重層長屋住宅の玄関構造
【図１】
2014046137.tif 000003
【図２】
2014046137.tif 000004
【図３】
2014046137.tif 000005
【図４】
2014046137.tif 000006
【図５】
2014046137.tif 000007
【図６】
2014046137.tif 000008
【図７】
2014046137.tif 000009